(57)【要約】【課題】様々な形態の駐車場において、利用者が集中することなく、利便性が向上した駐車料金精算機および駐車場管理システムを提供する。【解決手段】本発明の一形態に係る駐車料金精算機は、制御装置を具備する。前記制御装置は、第１の駐車場の出口精算を行う出口精算機能部と、前記第１の駐車場の事前精算を行う事前精算機能部と、第２の駐車場の事前精算を行う他精算機代替処理部と、を有する。【選択図】図１
2020112864.tif 000002
【特許請求の範囲】
【請求項１】
第１の駐車場の出口精算を行う出口精算機能部と、前記第１の駐車場の事前精算を行う事前精算機能部と、第２の駐車場の事前精算を行う他精算機代替処理部と、を有する制御装置
を具備する駐車料金精算機。
【請求項２】
請求項１に記載の駐車料金精算機であって、
前記第２の駐車場の事前精算処理を選択可能な選択キー部を備えた操作部と、前記第２の駐車場で発行された証明書または駐車券を読み取り可能な読取手段とをさらに具備し、
前記他精算機代替処理部は、前記選択キー部への入力操作あるいは前記第２の駐車場で発行された証明書または駐車券の読取りにより、前記第２の駐車場の事前精算を行う
駐車料金精算機。
【請求項３】
請求項２に記載の駐車料金精算機であって、
前記証明書は、釣銭預かり証明書または駐車証明書である
駐車料金精算機。
【請求項４】
請求項１〜３のいずれか１項に記載の駐車料金精算機であって、
前記制御装置は、前記第１の駐車場の駐車定期券を発行または更新することが可能な定期更新機能部をさらに有する
駐車料金精算機。
【請求項５】
請求項１〜４のいずれか１項に記載の駐車料金精算機であって、
非接触リーダをさらに具備し、
前記制御装置は、前記非接触リーダで読み出された非接触媒体の電子マネーに関する情報を処理する電子マネー管理機能部をさらに有する
駐車料金精算機。
【請求項６】
第１の駐車場の出口精算を行う出口精算機能部と、前記第１の駐車場の事前精算を行う事前精算機能部と、第２の駐車場の事前精算を行う他精算機代替処理部とを有する第１の駐車料金精算機と、
前記第２の駐車場の出口精算を行う出口精算機能部と、前記第１の駐車場の事前精算を行う他精算機代替処理部とを有する第２の駐車料金精算機と、
前記第１および第２の駐車料金精算機と通信可能に接続された中央管理装置と
を具備する
駐車場管理システム。
【請求項７】
請求項６に記載の駐車場管理システムであって、
前記第２の駐車料金精算機は、所定の処理が実行できなくなると、当該の駐車料金精算機の所定の証明情報を、前記中央管理装置に送信し、
前記第１の駐車料金精算機は、前記中央管理装置に前記所定の証明情報を確認したうえで、前記所定の処理を代替実行する
駐車場管理システム。
【請求項８】
請求項７に記載の駐車場管理システムであって、
前記所定の情報は、車両の入場日時を含み、
前記所定の処理は、釣銭の払出しを含み、
前記所定の証明情報は、釣銭、釣紙幣の保管状態を含む
駐車場管理システム。
【発明の詳細な説明】
【技術分野】
【０００１】
本発明は、駐車料金精算機および駐車場管理システムに関するものである。
【背景技術】
【０００２】
従来、有料駐車場の駐車料金を無人で管理して徴収するために、駐車料金精算機が利用されているが、各種券類の読み書きの機能や、様々な金種の硬貨や紙幣を扱う機能が必要であり、装置が高額なものとなっていた。そこで昨今では、単に駐車場の各所に必要に応じた台数の駐車料金精算機を配備するだけでなく、様々な機能を統合した多機能な駐車料金精算機を集中的に利用する手段が提案されている。
【０００３】
特許文献１では、駐車料金の管理方式が異なる複数の駐車領域について、駐車料金の精算に関連する処理を一括して行うことにより効率的な設営管理を可能にした自動機能精算式駐車場の駐車料金精算機が開示されている。特に、パークロック式駐車領域とゲート式駐車領域とが併設され、各駐車領域にそれぞれ対応した駐車料金の精算処理等を一括して行う中央精算機が設置されている。
この中央精算機は、パークロック式駐車領域の駐車スペース番号が入力されるか、あるいは、ゲート式駐車領域で発行された駐車券が挿入されるかに応じて、精算者の利用した駐車領域を判別し、各々に対応した駐車料金の精算処理等を実行する。
【０００４】
また、特許文献２では、従来のゲート式駐車場での駐車料金精算は、通常は車の窓を開けて行われるが、左ハンドル車や大きな車両の場合は精算機まで距離があり、普通車でも雨天の場合は紙幣での支払いがスムーズにできない。商業施設などの屋内ゲート式駐車場では、事前精算機を設置して料金の支払いを事前に済ませることができるが、事前精算機の設置費がかさむという欠点がある。
そこで、通常の精算および事前精算を行うために、ゲート式駐車場の出口精算機に事前精算ボタンが設けられ、このボタンが押されたら、事前精算モードに切り替えて、事前精算が受け付けられるようにするとともに、事前精算後駐車開始時刻をリセットし、ゲートが作動しないようにする。これにより、設備費用をほとんど増加させることなく、出口精算機を事前精算機としても使えるようにした技術が開示されている。
【先行技術文献】
【特許文献】
【０００５】
【特許文献１】特開２００１−３５１１３３号公報
【特許文献２】特開２０１６−１８５１２号公報
【０００６】
しかし特許文献１の技術では、ゲート式駐車場の利用者もパークロック式駐車場の利用者も、必ず中央精算機で精算しなければならず、場所が遠い、利用者が集中するなど、利用者に不便を強いることになるおそれがあった。
【０００７】
特許文献２の技術でも、出口精算機に全ての利用者が集中し、順番待ちの利用者による渋滞のおそれもあり、必ずしも利便性が良くなったとはいえないものであった。
【発明の概要】
【発明が解決しようとする課題】
【０００８】
以上のような事情に鑑み、本発明の目的は、様々な形態の駐車場において、利用者が集中することなく、利便性が向上した駐車料金精算機および駐車場管理システムを提供することにある。
【課題を解決するための手段】
【０００９】
上記の課題を解決するために、本発明の一形態に係る駐車料金精算機は、制御装置を具備する。
前記制御装置は、第１の駐車場の出口精算を行う出口精算機能部と、前記第１の駐車場の事前精算を行う事前精算機能部と、第２の駐車場の事前精算を行う他精算機代替処理部と、を有する。
【００１０】
前記駐車料金精算機は、前記第２の駐車場の事前精算処理を選択可能な選択キー部を備えた操作部と、前記第２の駐車場で発行された証明書または駐車券を読み取り可能な読取手段とをさらに具備してもよい。この場合、前記他精算機代替処理部は、前記選択キー部への入力操作あるいは前記第２の駐車場で発行された証明書または駐車券の読取りにより、前記第２の駐車場の事前精算を行う。
【００１１】
前記証明書は、釣銭預かり証明書または駐車証明書であってもよい。
【００１２】
前記制御装置は、前記第１の駐車場の駐車定期券の発行または更新を行う定期更新機能部をさらに有してもよい。
【００１３】
前記駐車料金精算機は、電子マネー機能を有する非接触媒体から情報を読み取る非接触リーダをさらに具備してもよい。この場合、前記制御装置は、前記非接触リーダで読み出された非接触媒体の電子マネーに関する情報を処理する電子マネー管理機能部をさらに有する。
【００１４】
本発明の一形態に係る駐車料金管理システムは、第１の駐車料金精算機と、第２の駐車料金精算機と、中央管理装置とを具備する。
前記第１の駐車料金精算機は、第１の駐車場の出口精算を行う出口精算機能部と、前記第１の駐車場の事前精算を行う事前精算機能部と、第２の駐車場の事前精算を行う他精算機代替処理部とを有する。
前記中央管理装置は、前記第１および第２の駐車料金精算機と通信可能に接続される。
【００１５】
前記第２の駐車料金精算機は、所定の処理が実行できなくなると、当該の駐車料金精算機の所定の証明情報を、前記中央管理装置に送信するように構成されてもよい。この場合、前記第１の駐車料金精算機は、前記中央管理装置に前記所定の証明情報を確認したうえで、前記所定の処理を代替実行する。
【００１６】
前記所定の情報は、車両の入場日時を含み、前記所定の処理は、釣銭の払出しを含み、前記所定の証明情報は、釣銭、釣紙幣の保管状態を含んでもよい。
【発明の効果】
【００１７】
本発明によれば、様々な形態の駐車場において、利用者が集中することなく、利便性が向上する。
【図面の簡単な説明】
【００１８】
【図１】本発明の一実施形態に係る駐車料金精算機の斜視図である。
【図２】上記駐車料金精算機のハードウェア構成を示したブロック図である。
【図３】上記駐車料金精算機の制御機能ブロック図である。
【図４】上記駐車料金精算機の設置例を示す駐車場の構成図である。
【図５】本発明の一実施形態に係る駐車場管理システムの構成図である。
【図６】上記駐車料金精算機の制御の一例を示すフローチャートである。
【図７】上記駐車料金精算機により表示される画面構成を説明する図である。
【図８】図５の駐車場管理システムの中央管理装置のデータベースの説明図である。
【図９】上記駐車料金精算機の操作例を説明する図である。
【発明を実施するための形態】
【００１９】
以下、本発明に係る実施形態を、図面を参照しながら説明する。以下の実施形態は、本発明の好適な具体例であって、種々の好ましい態様を開示しているが、本発明の技術範囲はこれらの態様に限定されるものではない。
【００２０】
図１は、本発明の一実施形態に係る駐車料金精算機１の斜視図である。
【００２１】
駐車料金精算機１は、直方体状のものであり、利用者と面する側の上部全体に前面パネル２を備えている。この前面パネル２には、中央上部にタッチパネル式表示器（操作部）３と、中央中部に駐車券またはカード用の券挿入／取出口４と、中央下部に紙幣挿入／払出シャッター部５と、左横下部にコードリーダ６と、右横下部に釣銭／領収証取出口７とがそれぞれ配置されている。
【００２２】
前面パネル２には、左横中部に非接触ＩＣカードリーダ８、媒体種別切替釦９および残額釦１１と、右横中部に硬貨投入口１２、精算取消釦１３および係員呼出釦１４とがさらに備えられている。タッチパネル式表示器３は、釦、テンキーなどが操作部として代わりに用いられてよい。
【００２３】
駐車料金精算機１は、駐車料金精算機としての本来的な機能に加え、後述するように、他駐車場（後述）で充足されない機能の代替実施が可能である。例えば、駐車料金精算機１は、他駐車場で発行されたレシート等に印刷された各種コードを読み取るコードリーダ６を備え、他駐車場の精算機より払い出されるべき駐車料金の釣銭を支払い可能に構成される。レシート等に印刷される各種コードとしては、典型的には、ＱＲコード（登録商標）などの二次元コードであり、これ以外にも、一次元コード（バーコード）などであってもよい。
【００２４】
タッチパネル式表示器３は、利用日時、駐車場名、駐車料金、操作方法の説明等を表示する画面を有する。タッチパネル式表示器３は、利用者に、精算、定期券の更新、コード読取、領収証発行、事前精算する駐車場、駐車スペース番号などを入力するための各種選択キーを表示する。
【００２５】
コードリーダ６は、例えば、レーザースキャナを内蔵した光学的読取装置である。コードリーダ６は、前面パネル２上の透明カバーに覆われた内部から外部に向けてレーザ光をスキャンすることで、上記透明カバーに翳したレシート等に印刷されたコードを読み取る。なお、利用者の保持するスマートフォン等の携帯端末の画面に出力された画像に含まれるコードの読み取りも可能である。
【００２６】
駐車料金精算機１は、通常の紙幣・硬貨での支払いに加えて、様々な種類の電子マネー決済に対応可能な、非接触ＩＣカードリーダ８を備えている。この非接触ＩＣカードリーダ８は、電子マネー機能を有する非接触ＩＣカード、例えば、交通系電子マネー、流通系電子マネー、当該駐車場機関が発行する独自のＩＣカード等の読取りができるマルチタイプのＩＣカードリーダである。なお、非接触ＩＣチップを用いた媒体はカードの形態に限らず、非接触ＩＣタグ、非接触ＩＣチップ搭載型スマートフォン等もあり、本願ではこれら様々な媒体用の非接触リーダを総称して非接触ＩＣカードリーダとしている。さらに、前述のコード読み取り可能なコードリーダ６も、非接触リーダの一種である。
【００２７】
図２は、図１の駐車料金精算機１のハードウェア構成を示したブロック図である。
【００２８】
駐車料金精算機１は、制御装置としてのＣＰＵ（Central Processing Unit）４５と、メモリ４６と、これらとバス４７を介して接続されるインターフェイス４８とを有する。メモリ４６は、ＲＯＭ（Read Only Memory）、ＲＡＭ（Random Access Memory）、フラッシュメモリ等から構成され、ＣＰＵ４５の後述する各種機能を実行するためのプログラムや種々の駐車データ等が記憶される。
【００２９】
インターフェイス４８には、タッチパネル式表示器３、カードリーダ／ライタ４９、非接触ＩＣカードリーダ８、媒体種別切替釦９、残額釦１１、コードリーダ６、精算取消釦１３、インターフォン（係員呼出釦）１４が接続されている。
インターフェイス４８には、領収証プリンタ５０、コインセレクタ５１、紙幣・硬貨払出装置５２、紙幣リーダ５３、スピーカ５４、通信部５５、Ｉ／Ｏ信号端子５６、および、車両センサ（車両検出部）５７がさらに接続されている。
【００３０】
これらインターフェイス４８に接続された各要素は、ＣＰＵ４５により制御され、例えばタッチパネル式表示器３による画面表示やスピーカ５４による音声ガイドに基づいて、利用者は円滑に操作を行うことができる。インターフォン１４を利用することで、オペレータと会話することも可能である。
【００３１】
カードリーダ／ライタ４９は、駐車券の磁気ストライプに所定の情報（入場日時、割引情報、車両番号、識別番号など）を書き込み、かつ、駐車券にこの所定の情報を印字する。そして、カードリーダ／ライタ４９は、券挿入／取出口４に挿入された駐車券の所定の情報を、磁気ストライプから読み込み、入場時刻および割引情報に基づいて、駐車料金を精算する。
【００３２】
コインセレクタ５１は、硬貨投入口１２に投入された硬貨を選別、計数する。紙幣リーダ５３は、紙幣挿入／払出シャッター部５に投入された紙幣を選別、計数する。紙幣・硬貨払出装置５２は、精算により釣銭等を計数し、紙幣挿入／払出シャッター部５あるいは釣銭／領収証取出口７に払い出す。
領収証プリンタ５０は、レシート紙に精算額、入場日時等をプリントして領収証として発行する。
【００３３】
通信部５５は、ＬＡＮ（Local Area Network）／インターネットを介して、後述する管理機関端末装置７１等の他の装置と通信するための、モデム、ルータ、その他の通信機器である。通信部５５は、有線でも無線でもよいし、これらを組み合わせてもよい。
【００３４】
車両センサ５７は、後述するゲート開閉機６２（図４参照）の入出場ゲート前後に埋設されたループコイル６４に接続されている。車両センサ５７は、ループコイル６４と協働して車両検出センサとして機能し、車両の入出場があるか否かを検出する。ループコイル６４は、入庫側（第１のループコイル６４ａ）および出庫側（第２のループコイル６４ｂ）の一組のコイルで構成される（図４参照）。
なお、車両センサ５７として、例えば赤外線を利用した光学式センサが代わりに用いられてもよい。
【００３５】
Ｉ／Ｏ信号端子５６は、ゲート開閉機６２に接続され、入出場ゲートの開閉動作に必要な入出力信号線の接続端子である。図示しないが、後述する入口レーン６０または出口レーン６１（図４参照）に設けられたカメラにより撮影された画像を取得する画像取得部があってもよい。
【００３６】
図３は、ＣＰＵ４５の制御機能ブロック図である。ＣＰＵ４５は、出口精算機能部１５、定期更新機能部１６、他精算機代替処理部１７、事前精算機能部１８、電子マネー管理機能部１９、自動機能切換え部２０、および機能切換え受付部２１を備えている。
これらの機能部は、メモリ４６に保存されたプログラムを、ＣＰＵ４５が実行することにより実現される。
【００３７】
出口精算機能部１５は、後述するように、当該駐車料金精算機１が設置される駐車場の出口精算に必要な処理を実行する。出口精算とは、駐車場の出口において利用者が車上で駐車料金を精算することをいう。
【００３８】
定期券更新機能部１６は、後述するように、当該駐車料金精算機１が設置される駐車場の駐車定期券の発行または更新に必要な処理を実行する。
【００３９】
他精算機代替処理部１７は、後述するように、駐車料金精算機１が設置される駐車場以外の他の駐車場の事前精算を、当該他の駐車場に設置される精算機に代わって行う処理を実行する。事前精算とは、利用者が車両に乗り込む前に（事前に）駐車料金を精算することをいう。
【００４０】
事前精算機能部１８は、後述するように、当該駐車料金精算機１が設置される駐車場の事前精算に必要な処理を実行する。
【００４１】
電子マネー管理機能部１９は、後述するように、非接触ＩＣカードリーダ８によって読み出された非接触ＩＣカードの電子マネーに関する情報を処理する。電子マネーに関する情報とは、非接触ＩＣカードの内蔵ＩＣチップにより管理された電子決済に必要な情報をいう。電子マネーに関する情報を処理するとは、典型的には非接触ＩＣカードによる駐車料金の精算（出口精算、事前精算）、残高照会を含み、さらにチャージ機能を含んでもよい。
【００４２】
自動機能切換え部２０は、出口精算機能部１５、定期更新機能部１６、他精算機代替処理部１７、事前精算機能部１８および電子マネー管理機能部１９の切換え処理を実行する。
【００４３】
機能切換え受付部２１は、タッチパネル式表示器３を介して、定期更新機能部１６、他精算機代替処理部１７などの所定の機能部への切換えに必要な入力操作を受け付ける処理を実行する。機能切換え受付部２１は、後述するように、利用者に選択操作を促す画面をタッチパネル式表示器３に表示する（図７参照）。
【００４４】
図４は、本実施形態に係るパーキングエリア１００の構成図である。パーキングエリア１００は３ヶ所の駐車場Ａ、Ｂ、Ｃおよび１つの駐輪場Ｄを有する。当然のことながら駐車場は少なくとも１つあればよく、駐輪場は複数あってもよいし、無くてもよい。
駐車場Ａ、Ｂ、Ｃ内には、多数の駐車スペースＰＳが区画されている。各駐車スペースＰＳは、車両（自動車）一台分の駐車スペースを有している。駐輪場Ｄにも、多数の駐輪スペースＰＢＳが区画されている。各駐輪スペースＰＢＳは、軽車両（自転車）または原動機付自転車一台分の駐車スペースを有している。パーキングエリア１００には駐車料金精算機１が複数台配置される。各駐車場Ａ〜Ｃには少なくとも１つの駐車料金精算機１が備えられる。
【００４５】
駐車場Ａ（第１の駐車場）は、道路６５に面した任意の位置に車両用の入口レーン６０および出口レーン６１を備えているゲート式のものである。これら入口レーン６０および出口レーン６１は、入場車両と出場車両とがすれ違うように対向しており、それぞれのレーンには車両の通行を許可／禁止するための２つのゲート開閉機６２が設けられている。
【００４６】
各ゲート開閉機６２には車両検出用のループコイル６４が接続されている。ループコイル６４は、ゲート開閉機６２の入庫側（場内側）に位置する第１のループコイル６４ａとゲート開閉機６２の出庫側（場外側）に位置する第２のループコイル６４ｂとを含む。
【００４７】
駐車料金精算機１および発券機６３は、これら２つのゲート開閉機６２間に配置されている。換言すると、駐車料金精算機１および発券機６３は、入口レーン６０と出口レーン６１との間に配置されている。発券機６３は、新規の駐車券を発行するカードフィーダを備える。
【００４８】
駐車場Ｂ、Ｃおよび駐輪場Ｄ（第２の駐車場）も同様に、道路６５に面した任意の位置に出入口６６を一体的に備えている。駐車場Ｂには、出入口６６に車両の通行を許可／禁止するための１つのゲート開閉機６２が設けられている。駐車場Ｃおよび駐輪場Ｄには、この種のゲートは設けられていない。
【００４９】
駐車場Ｂはゲート式のものであり、駐車料金精算機１および発券機６３が、１つのゲート開閉機６２の開閉に対応するように配置されている。駐車場Ｃおよび駐輪場Ｄには、駐車料金精算機１のみが各出入口６６付近に備えられている。換言するとこれに限定されないが、駐車場Ｃおよび駐輪場Ｄは、所定の位置に停車するとフラップ板が上昇するフラップ式、車輪の回転をロックするラックロック式などの個別ロック装置である。
【００５０】
以下に説明する本実施形態の駐車場管理システム１０は、上述したパーキングエリア１００の構成（特に駐車場および駐輪場の個数や種類）に基づいて構築される。
【００５１】
図５は、本発明の実施形態に係る駐車場管理システム１０の構成図である。この駐車場管理システム１０は、複数の駐車場Ａ、Ｂ、Ｃおよび駐輪場Ｄの駐車料金精算機１と、中央管理装置７０と、管理機関端末装置７１とを含み、これらはインターネットを介して互いに通信可能に接続されている。
中央管理装置７０は、基本的にサーバおよびＤＢ（データベース）で構成されている。また、管理機関端末装置７１はＰＣ（Personal Computer、情報処理装置）であり、中央管理装置７０と同じ系列のＬＡＮ等のネットワークに属していてもよい。
【００５２】
駐車場Ａには、駐車料金精算機１、駐車場管理装置７２、および在車ＤＢ等のＤＢが、互いに通信可能に設置されている。さらに発券機６３が構内ＬＡＮで接続されている（図示せず）。
駐車場Ａの駐車料金精算機１は、駐車場管理装置７２を介して、インターネットに接続されてもよい。他のすべての駐車場Ｂ、Ｃあるいは駐輪場Ｄの駐車料金精算機１も、駐車場管理装置７２を独自に有してもよく、これら駐車場管理装置７２を介して、インターネットに接続されてもよい。ここで、各種ネットワーク機器等の図示は省略されている。駐車場Ｃおよび駐輪場Ｄにおいては発券機６３が設置されておらず、駐車スペースＰＳ、ＰＢＳごとに割り振られた駐車スペース番号を駐車料金精算機１に入力することで駐車料金を精算する。
【００５３】
後に詳述するように、駐車場管理システム１０において、１つの（第１または第２の）駐車料金精算機１は、充足されない機能がある場合に、当該充足されない機能および当該の駐車料金精算機１の釣銭、釣紙幣の保管状態に関する情報を含む証明情報を、中央管理装置７０に送信する。
【００５４】
充足されない機能とは、本来的に実行可能な処理であるが、何等かの理由で当該処理が実行できないことをいう。典型的には、釣銭や釣紙幣の不足が原因で釣銭を払い出すことができない場合、レシート紙が不足して領収証を発行できない場合などが挙げられる。
【００５５】
その後、他の（第２または第１の）駐車料金精算機１は、その充足されない機能の実行要求を受け付けた場合、中央管理装置７０にその証明情報を確認したうえで、その充足されない機能を代替実行する。
【００５６】
図６は、本発明の実施形態に係る駐車料金精算機１（ＣＰＵ４５）の制御フローチャート図である。駐車場Ａの利用者は、入口レーン６０において発券機６３が発行する新規駐車券を抜取って、駐車場Ａ内に進入していずれかの駐車スペースＰＳ内に駐車するが、ここでは出口レーン６１に設置した駐車料金精算機１の制御動作を説明する。
【００５７】
ステップＳ１では、車両センサ５７を介して、出口レーン６１の第１のループコイル６４ａを監視する。車両が出口レーン６１に進入していない状態では第１のループコイル６４ａはＯＦＦであり、ステップＳ２へ進んで、タッチパネル式表示器３が監視される。
【００５８】
ステップＳ２では、タッチパネル式表示器３へのタッチ操作の有無を検出する。タッチパネル式表示器３への画面タッチがない場合はＮＯとなり、ステップＳ１に戻る。このように、出口レーン６１への車両の進入の有無、および、タッチパネル式表示器３への操作の有無の監視動作が交互に繰り返される。
【００５９】
ステップＳ１で車両が進入した場合は、第１のループコイル６４ａが車両を検出することでステップＳ３に移行し、出口精算機能部１５による出口精算処理が開始される。出口精算処理としては、券挿入／取出口４に挿入された駐車券の読取、精算、駐車料金の投入受付、釣銭の払い出し、領収証の発行などを含む。駐車券の挿入、料金の投入、精算金額などは、タッチパネル式表示器３による画面表示やスピーカ５４による音声ガイドなどによって利用者へ提示される。この出口精算処理が終了すると、ステップＳ５に移行してゲートを開く指令が、Ｉ／Ｏ信号端子５６を介して出口ゲート開閉機６２に出力される。
【００６０】
ステップＳ６では、車両センサ５７を介して、出口レーン６１の第２のループコイル６４ｂを監視する。第２のループコイル６４ｂが車両の通過を検出するまでは、車両がゲートを未通過であると判断し、ゲートの開状態を維持する。第２のループコイル６４ｂが車両の通過を検出したときは、車両がゲートを通過したと判断してステップＳ７に移行し、ゲートを閉じる指令がＩ／Ｏ信号端子５６を介して出口ゲート開閉機６２に出力される。
【００６１】
ゲートを閉じた後、ステップＳ８に移行して駐車データが更新され、中央管理装置７０に送信される。ここで駐車データとは、駐車券番号、精算（出場）日時、駐車料金等であり、中央管理装置７０は、データベース（ＤＢ）に車両の出場日時、駐車料金等の履歴情報を記録する。
【００６２】
ステップＳ２でタッチパネル式表示器３への画面タッチを検出した場合（ステップＳ２においてＹＥＳ）、ＣＰＵ４５は、出口精算ではなく、当該駐車場あるいは他の駐車場の事前精算等のために利用者が画面タッチしたと判断して、図７（ａ）に示す画面をタッチパネル式表示器３に表示する。画面タッチは厳密には、他の釦等の押下であってもよい。
【００６３】
なお、本実施形態の駐車料金精算機１には人感センサ等は設けられていない。人感センサが設けられていると、出口付近を通行する歩行者を誤って感知してしまう可能性があるためである。そのため本実施形態では、敢えて人感センサを用いないことで、駐車場管理システム１０の信頼性を向上させ、不要な電力消費を抑えるようにしている。
【００６４】
ステップＳ２において画面タッチがＹＥＳとなると、ステップＳ４に移行し、他駐車場の精算機（ここでは駐車場Ｂ、Ｃおよび駐輪場Ｄの駐車料金精算機１）の代替処理、あるいは、自駐車場（ここでは駐車場Ａ）の事前精算が実行可能となる。他駐車場の精算機の代替処理については、図７の選択画面の推移とともに説明する。
【００６５】
図７は、本発明の実施形態に係る駐車料金精算機の選択画面の推移を示した図である。図７（ａ）は、図６のステップＳ２における画面タッチＹＥＳの際のタッチパネル式表示器３の表示画面である。
当該画面は、日付、時刻、駐車場の種別、駐車券の挿入を促す表示のほか、画面下部に選択キー部７５が表示される。選択キー部７５は、「他駐車場の処理」選択キー７５ａと、「定期更新」選択キー７５ｂと、「コード読取り」選択キー７５ｃとを含む。ここで選択キー部７５は３つだけでなく、２つでも、４つ以上の複数あってもよい。選択キー部７５の表示は、機能切換え受付部２１により実行される表示制御の一例である。
【００６６】
なお、通常の駐車料金の出口精算では、第１のループコイル６４ａによって車両が検出された際にタッチパネル式表示器３に駐車券の挿入を促す画面が表示される。この場合、図７（ａ）に示す画面から選択キー部７５が省略された画面が表示される。
【００６７】
ＣＰＵ４５は、ステップＳ２において画面タッチが検出されると、事前精算機能部１８による事前精算処理を実行する。事前精算処理としては、駐車場Ａの駐車券が投入されると、図７（ａ）から図７（ｂ）に示すような駐車料金を表示する画面に遷移して、精算が可能な状態とする。
【００６８】
図７（ｃ）は、図７（ａ）に示す画面において「他駐車場の処理」選択キー７５ａを選択した際に表示される画面である。図７（ｃ）の画面への遷移は、自動機能切換え部２０により、事前精算機能から他精算機代替処理への切換えと共に実行される。
【００６９】
他精算機代替処理部１７が実行する他精算機代替処理としては、図７（ｃ）に示すように、まず、選択候補に該当する駐車場を選択する画面に遷移し、後述する代替処理が可能な駐車場および駐輪場を表示する。図７（ｃ）には、図４に示した駐車場Ｂ、Ｃおよび駐輪場Ｄのほか、図示しない駐車場Ｅも選択候補として表示される例を示している。
【００７０】
次に、例えば利用者が「駐車場Ｂ」を選択すると、図７（ｄ）の画面に遷移し「駐車券を入れて下さい」という表示のほか、精算対象駐車場に当たる「駐車場Ｂの事前精算」という確認情報７６が強調表示される。この確認情報７６の表示は、利用者が誤って他の駐車場を選択しないための注意喚起を目的とする。表示が点滅したり、スピーカ５４（図２参照）により音声出力がなされたりしてもよい。この状態で利用者が駐車場Ｂで発券された駐車券を挿入すると、図７（ｅ）の画面に遷移し、駐車場Ｂの駐車料金を表示して、駐車場Ｂの事前精算が、駐車場Ａの駐車料金精算機１によって実行可能な状態となる。つまり、駐車場Ａを第１の駐車場、駐車場Ｂを第２の駐車場とすると、第１の駐車場の駐車料金精算機１が第２の駐車場の駐車料金精算機に代わって第２の駐車場の精算処理（代替処理）が実行可能となる。
【００７１】
駐車料金の支払いを検出すると、ＣＰＵ４５（他精算機代替処理部１７）は、駐車券にその旨のステータス（精算済み、精算料金、精算日時等）を記録し、駐車券を返却する。利用者は、駐車場Ａでの当該精算済みの駐車券によって、駐車場Ｂの出入口６６付近の駐車料金精算機１で精算することなく、駐車場Ｂからの出場が可能となる。なお精算と同時に、あるいは精算後、中央管理装置７０にそのステータス情報が送信される。
【００７２】
本実施形態によれば、駐車料金精算機１が上述のような他駐車場の事前精算処理を実行可能に構成されているため、駐車場Ｂの利用者が精算の際に駐車場Ｂの精算機に集中することを抑制することができ、これにより利用者の利便性を向上させることができる。
【００７３】
一方、図７（ｃ）において、「駐車場Ｃ」を選択した場合は、他精算機代替処理部１７は、タッチパネル式表示器３を図７（ｆ）の画面に遷移する。駐車場Ｃにおいては、その駐車スペース番号を入力して精算を行う。画面には、駐車スペース番号を入力するための入力部（テンキー）７７が表示される。精算が完了すると、中央管理装置７０のサーバに代替精算完了のデータが送信され、さらに、駐車場Ｃの駐車料金精算機１にも代替精算完了のデータが送信される。
【００７４】
図示しないが、駐車場Ｃのように駐車券なしのフラップ式駐車場では、この代替精算完了後、フラップ板が車両出庫可能な状態に下降され、利用者は駐車場Ｃの駐車料金精算機１で精算することなく、車両に乗り込んでそのまま出庫することができる。
【００７５】
上記機能に加えて、本実施形態の駐車料金精算機１における事前精算機能部１８および自動機能切換え部２０によって、駐車場Ａの利用者による、駐車場Ａでの事前精算を容易に実現することができる。具体的には、出口レーン６１付近の駐車料金精算機１の、図７（ａ）の画面の状態において、駐車場Ａの利用者は、いずれの選択キーを選択することなく、駐車場Ａで入場時に発行された駐車券を挿入することで、事前精算が可能である。
【００７６】
さらに、他の駐車場および駐輪場の利用者においても、各駐車場の駐車料金精算機１から入場時に発行された駐車券を挿入することで、いずれの選択キーを選択することなく事前精算が可能である。出口精算機能部１５および事前精算機能部１８は、１万円、５０００円などの単位で精算可能な高額紙幣での精算処理を行う精算機を数台に絞ることも可能である。そのような高機能な駐車料金精算機１では、電子マネー管理機能部１９により、非接触ＩＣカードリーダ８に翳された非接触ＩＣカード機能を有する携帯端末や定期券などによる精算処理も行うことができるのが望ましい。
【００７７】
図８は、図５の駐車場管理システム１０の中央管理装置７０のデータベース（ＤＢ）の説明図である。中央管理装置７０のＤＢには、駐車場Ａ、駐車場Ｂ、駐車場Ｃ、および駐輪場Ｄの駐車料金精算機１のそれぞれと、前述の通り各駐車場Ａ〜Ｃおよび駐輪場Ｄの駐車料金精算機１から送信された代替精算完了の受信データ等を記憶する。
【００７８】
また、中央管理装置７０のＤＢにはそれぞれの駐車料金精算機１等の内部ステータスが記憶されている。例えば、ＣＰＵ４５、タッチパネル式表示器３などの内部ユニットが正常に動作しているか、釣銭や釣紙幣の保管状態（釣銭残、釣銭残注意など）やレシート紙の残量等を含む所定の証明情報が、駐車場Ａ〜Ｃおよび駐輪場Ｄにおける駐車料金精算機１ごとに常時記憶されている。
【００７９】
例えば図８に示すように、駐車場Ｂの駐車料金精算機１が「釣銭切れ」の状態となった場合、この情報はすぐに駐車場Ｂの係員等に通知されるが、無人管理状態の駐車場の場合に、巡回して釣銭を補充する管理会社の到着が遅れる場合がある。このような場合、駐車場Ｂの利用者は、釣銭切れの状態であっても車両を出場させるためには、釣銭が生じた場合には釣銭を受け取らずに出場することになる。
【００８０】
このように駐車場Ｂの駐車料金精算機１は、本来充足すべき機能が充足されていない場合、利用者に対して、釣銭預かり証明書を発行する。当該証明書には、二次元コードで釣銭額や預かり発生日時や通し番号などが記録されている。駐車場Ａの駐車料金精算機１は、このような駐車場Ｂの駐車料金精算機１の釣銭の払い出しやレシート紙の提供など（所定の処理）を、駐車場Ｂの駐車料金精算機１に代替して実行することができる。上記証明書は、釣銭預かりに限定されず、駐車証明書（入庫日時証明書）など任意のものでよい。
【００８１】
図９は、本実施形態に係る駐車料金精算機１の操作説明図である。図９（ａ）において、利用者が車両を伴わずに駐車料金精算機１にアクセスした場合に、前述の通りタッチパネル式表示器３に表示された「コード読取り」選択キー７５ｃをタッチ入力することで、コードリーダ６が起動される。この状態でコードリーダ６に釣銭預かり証明書に印刷されたコードを翳すことで、他の駐車場Ａ、Ｃまたは駐輪場Ｄの駐車料金精算機１から、駐車場Ｂの駐車料金精算機１で支払われなかった釣銭が利用者に支払われる。
【００８２】
このような代替処理に関して、駐車場Ａ〜Ｃおよび駐輪場Ｄが同一経営機関の管理下にある場合は、各駐車料金精算機１の機能を互いに補完することができる。駐車場Ａと駐車場Ｂとが別経営の駐車場の場合には、支払額を相殺することはもちろん、駐車場Ｂに対して手数料を請求することも、当初の取り決め等によっては有効な手段となる。
【００８３】
釣銭預かり証明書に印刷されるコードの内容は、暗号化されているのが望ましい。これにより、利用者が不正目的のため、当該コードの情報を解析したり、使用済みの証明書を複製したりするなどの悪用が防止できる。さらに、利用者の携帯端末に表示され、あるいはチラシに印刷されたコードを読み取って駐車料金の割引等をすることにも活用されてもよい。あるいは、利用者がこれらのコードを所定の期間（特売期間）内にコードリーダ６に読み取らせることで、駐車料金などが割引／無料になるというような追加サービスが提供されてもよい。
【００８４】
さらに、本実施形態の駐車料金精算機１は、他の駐車場では受付不可能な電子マネーの決済を、代替して行うことが可能である。多機能な非接触ＩＣカードリーダ８を搭載した駐車料金精算機１においては、媒体種別切替釦９を備えることで、複数の機関が発行している電子マネーの取扱いを受け付けることができる。
【００８５】
本実施形態では、図９（ａ）に示すように媒体種別切替釦９の近傍に、媒体種別（例えば、交通系カード、クレジットカード、ハウスカード、定期券）ごとに設置されたＬＥＤ８０が点灯するようになっている。また、料金精算を伴わずに、単に電子マネーのチャージまたはチャージ残額を確認（残高照会）するための残額釦１１も設置されているため、利用者は該当するカードを翳すと、電子マネー管理機能部１９によって、電子マネーがチャージされ、かつ、図９（ｂ）のように残額が表示される機能が実行される。これにより、電子マネーによる精算が可能となり、電子マネーを活用する利用者の利便性が高まる。なお、昨今の多機能なスマートフォン等の携帯端末による、前述のコード読取り機能によってなされる電子マネーの形態も含めて、電子マネー管理部１９によって決済が可能としてもよい。
【００８６】
加えて、本実施形態の駐車料金精算機１は、定期更新機能部１６により、例えば非接触ＩＣカードによる駐車定期券を、更新または購入する処理を受け付けることも可能である。図９（ａ）に示される表示画面下部の「定期更新」選択キー７５ｂを選択すると、図９（ｃ）に示すような定期更新の期間（１ヶ月、３ヶ月、６ヶ月など）を選択する画面に遷移する。次に対象となる定期用の非接触ＩＣカードを、非接触ＩＣカードリーダ８に翳したうえで、料金の支払いを完了させると、定期更新処理が完了する。定期の更新に限られず、定期の解約を選択可能に構成されてもよい。
【００８７】
非接触ＩＣカードリーダ８がライト機能（情報書き込み機能）を有する場合、定期券である非接触ＩＣカードを非接触ＩＣカードリーダ８に翳すことで、有効期間の延長の情報等が書き込まれる。
【００８８】
以上のように、本実施形態の駐車料金精算機１および駐車場管理システム１０によれば、主たる駐車場の主たる駐車料金算機に、他の駐車場の事前精算機能、電子マネー種別の取り扱い機能、定期更新機能、コード情報読取り機能を備えているため、多機能な駐車料金精算機を提供することができる。さらに、現金精算だけでなく、電子マネー精算、クレジット精算など利用者のニーズに応じて多様な精算方法を提供することができる。
【００８９】
その一方で、近隣の他の駐車場の料金精算機の機能を最小限に絞り込んで、総合的に装置のコストダウンを実現しつつ、他の駐車場での代替機能を主たる多機能な駐車料金精算機に実行させることができる。さらに、そのため、利用者の利便性が損なわれることがなく、かえって小規模な駐車場の利用者でも、様々な電子マネーの決済が可能となるなど、利便性が向上する。
さらに、利用者だけでなく、パーキングエリア１００の管理者にとっても、管理上都合がよい。
【００９０】
また、必ずしも主たる駐車料金精算機のみが他の駐車場の料金精算機の代替精算等の機能を有するのではなく、複数の駐車料金精算機で相互に代替機能が実現するようにしてもよい。
【００９１】
以上説明した本発明に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【００９２】
本発明は、請求の範囲および明細書全体から読み取ることのできる発明の要旨又は思想に反しない範囲で適宜変更可能であり、そのような変更を伴う駐車料金精算機および駐車場管理システムもまた本発明の技術思想に含まれる。
【産業上の利用可能性】
【００９３】
本発明に係る技術は、小規模か大規模か、屋内か屋外かを問わず、設置コストとランニングコストの削減を図る有料駐車場において、好適に利用できるものである。
【符号の説明】
【００９４】
１・・・駐車料金精算機
３・・・タッチパネル式表示器
６・・・コードリーダ（光学読取手段）
８・・・非接触ＩＣカードリーダ
１０・・・駐車場管理システム
１５・・・出口精算機能部
１６・・・定期更新機能部
１７・・・他精算機代替処理部
１８・・・事前精算機能部
１９・・・電子マネー管理機能部
２０・・・自動機能切換え部
２１・・・機能切換え受付部
４５・・・ＣＰＵ
６２・・・ゲート開閉機
６３・・・発券機
７０・・・中央管理装置
７１・・・管理機関端末装置
７２・・・駐車場管理装置
７５・・・選択キー部
１００・・パーキングエリア
【図１】
2020112864.tif 000003
【図２】
2020112864.tif 000004
【図３】
2020112864.tif 000005
【図４】
2020112864.tif 000006
【図５】
2020112864.tif 000007
【図６】
2020112864.tif 000008
【図７】
2020112864.tif 000009
【図８】
2020112864.tif 000010
【図９】
2020112864.tif 000011